(57)【特許請求の範囲】
【請求項１】
光伝送のための伝送品質の推定器を作り出すための方法であって、
−  局所分散値を規定するステップと、
−  局所分散値と同一の符号を有する分散増分（１４）を規定するステップと、
−  整数が０から０以上の上限までの範囲である複数の整数の各々について、伝播モデルおよび／または実験によって伝播計算（２４）を実行するステップであり、各伝播計算および／または実験が基本セクション（９１）に沿った光信号の伝播を扱い、基本セクションが局所分散値よって特徴付けられる伝播媒体であり、基本セクション長が分散増分に対応し、基本セクションに入ってくる光信号が事前に規定した前置補償分散と分散増分の整数倍との総和に等しい累積分散値（Ｄ１からＤ６）により以前に影響を受けている、実行するステップと、
−  各基本セクションについて、雑音の分散を決定するステップであり、雑音が基本セクション内のカー非線形場寄与に起因するひずみを表す、決定するステップと、
−  基本セクションの各組について、基本セクションの組の間の雑音の共分散を決定するステップと、
−  局所分散値と累積分散値との第１の組および局所分散値と累積分散値との第２の組とともに、対応する局所分散値および累積分散値とともに雑音の各々の決定した分散および雑音の各共分散を含むルックアップテーブル（Σ１）をデータリポジトリに格納するステップと
を含む、方法。
【請求項２】
伝播モデルが、スプリットステップフーリエ法である、請求項１に記載の方法。
【請求項３】
雑音が、任意の非線形場寄与、ならびに／または二次高調波発生、周波数混合、光パラメトリック増幅および発振、自発的パラメトリックダウンコンバージョン、ＳＰＤＣに基づくもつれ光子のソース、四波混合、ラマン散乱、自発的誘導ラマン散乱、ラマン増幅、ブリルアン散乱、２光子吸収、のリストからの非線形場寄与の連携、にさらに起因するひずみを表す、請求項１または２に記載の方法。
【請求項４】
方法が、
−  各基本セクションについて、伝播モデルまたは実験において利用した入力パワーを決定するステップと、
−  雑音の分散を決定するステップにおいて基本セクションに対して決定した各分散について、基本セクションに対して利用した入力パワーの２乗によって分散を割り算するステップと、
−  基本セクションの組の間の雑音の共分散を決定するステップにおいて基本セクションの組に対して決定した各共分散について、組の第１の基本セクションに対して決定した入力パワーおよび組の第２の基本セクションに対して決定した入力パワーにより共分散を割り算するステップと
を含む無次元化するステップをさらに含む、請求項１から３のいずれか一項に記載の方法。
【請求項５】
局所分散値が光ファイバに対応する、請求項１から４のいずれか一項に記載の方法。
【請求項６】
光ファイバが、シングルモードファイバ、分散補償ファイバ、ＬＥＡＦ、マルチファイバ、多芯ファイバ、マルチモードファイバ、偏波保持ファイバ、フォトニック結晶ファイバ、マルチモードグレーデッドインデックス光ファイバ、ノンゼロ分散シフトファイバ、トゥルーウェーブリデューストスロープ、トゥルーウェーブクラシック、テラライトおよびＳＭＦ−ＬＳ、のリストから選択されるタイプを有する、請求項５に記載の方法。
【請求項７】
ルックアップテーブル（Σ１）が、基本セクション内に発生したカー非線形場寄与に起因する雑音の共分散行列を含む、請求項１から６のいずれか一項に記載の方法。
【請求項８】
分散増分が、長さが１００ｍと２０ｋｍとの間に含まれる光リンクのセクションに沿って伝播する光信号によって累積された分散に対応する、請求項１から７のいずれか一項に記載の方法。
【請求項９】
光伝送のための伝送品質の推定装置であって、
−  複数の分散エントリσｎｎを含むルックアップテーブル（Σ１）が格納されているデータリポジトリ（１１３）であり、各分散エントリが、対応する局所分散値および対応する累積分散値（Ｄ１からＤ６）とともに格納され、累積分散値が、事前に規定した前置補償分散と０から０以上の上限までの範囲である整数で掛け算した事前に規定した分散増分（１４）との総和から構成される累積分散値のセットの中で選択され、
ルックアップテーブル（Σ１）が複数の共分散エントリをさらに含み、各共分散エントリが局所分散値と累積分散値との第１の組および局所分散値と累積分散値との第２の組とともに格納される、データリポジトリと、
−  光伝送システムデスクリプションを受信するための入力インターフェース（１１８）であり、システムデスクリプションが、複数のシステムセグメントＳｋ、ならびに、各システムセグメントＳｋについて、システムセグメントの入力パワーＰｋ、システムセグメントの局所分散値およびシステムセグメントの入力累積分散を規定する、入力インターフェース（１１８）と、
−  計算ユニット（１１４）であり、
−  各システムセグメントＳｋについて、システムセグメントＳｋの局所分散および入力累積分散が分散エントリσｍａｔｃｈ（ｋ）ｍａｔｃｈ（ｋ）に関係する局所分散値および累積分散値に実質的に一致するように、ルックアップテーブル内の分散エントリσｍａｔｃｈ（ｋ）ｍａｔｃｈ（ｋ）を選択するステップと、
−  各組のシステムセグメントＳｋおよびＳｋ’について、システムセグメントＳｋの局所分散および入力累積分散が共分散エントリに関係する第１の組に実質的に一致するように、かつシステムセグメントＳｋ’の局所分散および入力累積分散が共分散エントリに関係する第２の組に実質的に一致するように、ルックアップテーブル内の共分散エントリσｍａｔｃｈ（ｋ）ｍａｔｃｈ（ｋ’）を選択するステップと、
−  伝送品質の推定値
【数１】
0006387461.tif 000016
を計算するステップであり、
ここで、Ｎが光伝送システムデスクリプション内のシステムセグメントの数である、
計算するステップと
を実行するように構成された、計算ユニット（１１４）と、
−  計算した伝送品質の推定値を送信するための出力インターフェース（１１５）と
を備える、装置。
【請求項１０】
ルックアップテーブルが共分散行列を含む、請求項９に記載の装置。
【発明の詳細な説明】
【技術分野】
【０００１】
本発明は、光通信システムの技術分野に関し、特に光伝送のための伝送品質の推定器を作り出すための方法およびシステムに関する。
【背景技術】
【０００２】
光ネットワークでは、光信号は、かなりの距離を進んだ後では弱くそしてひずむようになる。実際に、光信号は、物理的な作用のために光媒体中を伝播するにつれて劣化する。物理的な劣化は、伝播する距離、光リンクの特性、周波数占有、等の複数の要因に依存する。
【０００３】
例えば、スプリットステップフーリエ法（ＳＳＦＭ）のような数値的な方法は、伝播計算を行うことができる。Ｅ．  Ｓｅｖｅらの「Ｓｅｍｉ−Ａｎａｌｙｔｉｃａｌ  Ｍｏｄｅｌ  ｆｏｒ  ｔｈｅ  Ｐｅｒｆｏｒｍａｎｃｅ  Ｅｓｔｉｍａｔｉｏｎ  ｏｆ  １００Ｇｂ／ｓ  ＰＤＭ  Ｔｒａｎｓｍｉｓｓｉｏｎ  Ｓｙｓｔｅｍｓ  ｗｉｔｈｏｕｔ  Ｉｎｌｉｎｅ  Ｄｉｓｐｅｒｓｉｏｎ  Ｃｏｍｐｅｎｓａｔｉｏｎ  ａｎｄ  Ｍｉｘｅｄ  Ｆｉｂｅｒ  Ｔｙｐｅｓ」、Ｐｒｏｃ．ＥＣＯＣ、Ｔｈ．１．Ｄ．２、Ｌｏｎｄｏｎ（２０１３）では、伝送の性能の指標である信号対非線形ひずみ比（ＳＮＲＮＬ）を決定することを可能にする半解析的モデルが記述されている。開示されたモデルは、例えば、１００ｋｍを超える長い長さを有する光リンクに対して特に適している。
【先行技術文献】
【非特許文献】
【０００４】
【非特許文献１】Ｅ．  Ｓｅｖｅら、「Ｓｅｍｉ−Ａｎａｌｙｔｉｃａｌ  Ｍｏｄｅｌ  ｆｏｒ  ｔｈｅ  Ｐｅｒｆｏｒｍａｎｃｅ  Ｅｓｔｉｍａｔｉｏｎ  ｏｆ  １００Ｇｂ／ｓ  ＰＤＭ  Ｔｒａｎｓｍｉｓｓｉｏｎ  Ｓｙｓｔｅｍｓ  ｗｉｔｈｏｕｔ  Ｉｎｌｉｎｅ  Ｄｉｓｐｅｒｓｉｏｎ  Ｃｏｍｐｅｎｓａｔｉｏｎ  ａｎｄ  Ｍｉｘｅｄ  Ｆｉｂｅｒ  Ｔｙｐｅｓ」、Ｐｒｏｃ．ＥＣＯＣ、Ｔｈ．１．Ｄ．２、Ｌｏｎｄｏｎ（２０１３）
【発明の概要】
【課題を解決するための手段】
【０００５】
本発明の態様は、光リンクの異なるセクションにより独立に生成される非線形ひずみの総和として全部の伝送リンクの非線形ひずみを表現する考えに基づいている。
【０００６】
本発明の態様は、カー非線形性に起因する信号ひずみが加法性ガウス雑音としてモデル化されてもよいという観察に由来している。
【０００７】
本発明の態様は、波長分散が非線形雑音の発生に強く影響する主な物理現象であるという考えに由来している。
【０００８】
本発明の態様は、基本ファイバセクションの後で生成される非線形雑音の分散が入力累積分散およびそのセクションのファイバのタイプに直接関連されることがあるという考えに由来している。
【０００９】
本発明の態様は、再使用される事前に計算した非線形ひずみの共分散行列をメモリに記憶することによって伝送品質の推定器の計算コストを削減するという考えに基づいている。
【００１０】
本発明の態様は、伝送リンク最適化のためのエンジニアリング規則を開発することを可能にするために伝送性能の高速推定を提案するという考えに基づいている。この推定は、ＳＳＦＭおよび／または他の方法を使用することにより得られる推定よりも好ましくは早くなる。
【００１１】
第１の目的にしたがって、本発明は、光伝送のための伝送品質の推定器を作り出すための方法を提供し、方法は：
−  局所分散値を規定するステップと、
−  例えば、基本セクション長にわたって、局所分散値と同一の符号を有する分散増分を規定するステップと、
−  整数が０から０以上の上限までの範囲である複数の整数の各々について、伝播モデルおよび／または実験により伝播計算を実行するステップであって、各伝播計算および／または実験が基本セクションに沿った光信号の伝播を扱い、基本セクションが局所分散値によって特徴付けられる伝播媒体であり、基本セクション長が分散増分に対応し、基本セクションに入ってくる光信号が事前に規定した前置補償分散と分散増分の整数倍との総和に等しい累積分散値により以前に影響を受けている、実行するステップと、
−  各基本セクションについて、雑音の分散を決定するステップであって、雑音が基本セクション内のカー非線形場寄与に起因するひずみを表す、決定するステップと、
−  基本セクションの各組について、基本セクションの組の間の雑音の共分散を決定するステップと、
−  局所分散値と累積分散値との第１の組および局所分散値と累積分散値との第２の組とともに、対応する局所分散値および累積分散値とともに雑音の各々の決定した分散および雑音の各共分散を含むルックアップテーブルをデータリポジトリに格納するステップと
を含む。
【００１２】
ある実施形態によれば、方法は、光伝送の最小累積分散として前置補償分散を規定するステップも含む。
【００１３】
実施形態によれば、このような方法は、下記の特徴のうちの１つまたは複数を含むことができる。
【００１４】
利用されることがある多くの種類の伝播モデルがある。好ましい実施形態では、伝播モデルは、ＳＳＦＭである。ある実施形態では、伝播モデルは、半経験的なモデルである。ある実施形態では、伝播モデルは、解析的モデルである。
【００１５】
本明細書においては光路パラメータと呼ばれ、光信号の伝播計算のための入力データとして利用されることがある多くのパラメータがある。伝播モデルは、局所分散値および光路に沿った累積分散値を考慮する。加えて、光路パラメータは、下記のリスト：ネットワークトポロジのパラメータ、送信元ノードおよび宛先ノードのパラメータ、光路に沿ったノードの数、ノード位置、トランスポンダタイプ、ファイバ長、光路長、ファイバタイプ、ファイバモード、ファイバ屈折率、ファイバの周波数占有、分散管理、変調フォーマット、チャネル間隔、等の中で選択されることがある。
【００１６】
光信号のいくつかの本質的な特徴も、伝播計算のための光路特性：多重化タイプ、キャリア周波数、変調フォーマット、等としてやはり考慮されることがある。加えて、伝播モデルは、光信号の振幅またはパワーを考慮する。
【００１７】
発光デバイスの特徴も、伝播計算のための光路特性としてやはり考慮されることがあり、下記のリスト：チャープ、発光モード、発光周波数、発光スペクトル帯域幅、ジッタ、等の中で選択されることがある。
【００１８】
検出器の特徴も、伝播計算のための光路特性としてやはり考慮されることがあり、下記のリスト：感度、光検出雑音、ショット雑音、熱雑音、アバランシェフォトダイオードに固有の雑音、等、の中で選択されることがある。
【００１９】
実施形態では、雑音は、任意の非線形場寄与、ならびに／または下記のリスト：二次高調波発生、周波数混合、光パラメトリック増幅および発振、自発的パラメトリックダウンコンバージョン、ＳＰＤＣに基づくもつれ光子のソース、四波混合、ラマン散乱、自発的誘導ラマン散乱、ラマン増幅、ブリルアン散乱、および２光子吸収、からの非線形場寄与の連携、にさらに起因するひずみを表すことができる。
【００２０】
ある実施形態では、方法は：
−  各基本セクションについて、伝播モデルまたは実験において利用した入力パワーを決定するステップと、
−  決定するステップにおいて基本セクションに対して決定した各分散について、基本セクションに対して利用した入力パワーの２乗により分散を割り算するステップと、
−  決定するステップにおいて基本セクションの組に対して決定した各共分散について、組の第１の基本セクションに対して決定した入力パワーおよび組の第２の基本セクションに対して決定した入力パワーにより共分散を割り算するステップと
を含む無次元化するステップをさらに含む。
【００２１】
ある実施形態では、方法は、各基本セクションについて、受信機側のところの信号パワーを決定するステップと、受信機側のところでの信号パワーの平方根で割り算した受信信号に等しい規格化した信号を決定するステップであって、分散が規格化した信号の全体にわたって計算される、規格化した信号を決定するステップとをさらに含む。
【００２２】
ある実施形態では、局所分散値は、光ファイバに対応する。
【００２３】
ある実施形態では、光ファイバは、下記のリスト：シングルモードファイバ、分散補償ファイバ、ＬＥＡＦ、マルチファイバ、多芯ファイバ、マルチモードファイバ、偏波保持ファイバ、フォトニック結晶ファイバ、マルチモードグレーデッドインデックス光ファイバ、ノンゼロ分散シフトファイバ、トゥルーウェーブリデューストスロープ、トゥルーウェーブクラシック、テラライトおよびＳＭＦ−ＬＳの中で選択されるタイプを有する。
【００２４】
ある実施形態では、ルックアップテーブルは、基本セクション内で発生したカー非線形場寄与に起因する雑音の共分散行列を含む。
【００２５】
ある実施形態では、分散増分は、長さが１００ｍと２０ｋｍとの間に含まれる光リンクのセクションに沿って伝播する光信号によって累積される分散に対応する。分散増分が小さいほど、伝送品質の推定はより正確である。分散増分が大きいほど、計算は安価である。これらの特徴のおかげで、光ネットワークシステム；特に、短いファイバ長および／またはファイバタイプ不均一性および／または異なるタイプの分散管理および／または異なる増幅スキームを有する光ネットワークシステムの性能を予測することができる伝送品質の推定器を実装することが可能である。
【００２６】
本発明は、光伝送のための伝送品質の推定装置も提供し、装置は：
−  複数の分散エントリσｎｎを含むルックアップテーブルが格納されているデータリポジトリであって、各分散エントリが、対応する局所分散値および対応する累積分散値とともに格納され、累積分散値が、事前に規定した前置補償分散と０から０以上の上限までの範囲である整数で掛け算した事前に規定した分散増分との総和から構成される累積分散値のセットの中で選択され、
ルックアップテーブルが複数の共分散エントリをさらに含み、各共分散エントリが局所分散値と累積分散値との第１の組および局所分散値と累積分散値との第２の組とともに格納される、データリポジトリと、
−  光伝送システムデスクリプション（ｄｅｓｃｒｉｐｔｉｏｎ）を受信するための入力インターフェースであって、システムデスクリプションが、複数のシステムセグメントＳｋ、ならびに、各システムセグメントＳｋについて、システムセグメントの入力パワーＰｋ、システムセグメントの局所分散値およびシステムセグメントの入力累積分散を規定する、入力インターフェースと、
−  計算ユニット（１１４）であって：
−  各システムセグメントＳｋについて、システムセグメントＳｋの局所分散および入力累積分散が分散エントリσｍａｔｃｈ（ｋ）ｍａｔｃｈ（ｋ）に関係する局所分散値および累積分散値に実質的に一致するように、ルックアップテーブル内の分散エントリσｍａｔｃｈ（ｋ）ｍａｔｃｈ（ｋ）を選択するステップと、
−  各組のシステムセグメントＳｋおよびＳｋ’について、システムセグメントＳｋの局所分散および入力累積分散が共分散エントリに関係する第１の組に実質的に一致するように、かつシステムセグメントＳｋ’の局所分散および入力累積分散が共分散エントリに関係する第２の組に実質的に一致するように、ルックアップテーブル内の共分散エントリσｍａｔｃｈ（ｋ）ｍａｔｃｈ（ｋ’）を選択するステップと、
−  伝送品質の推定値
【数１】
0006387461.tif 000002
を計算するステップであって、
ここで、Ｎが光伝送システムデスクリプション内のシステムセグメントの数である、
計算するステップと
を実行するように構成された、計算ユニット（１１４）と、
−  計算した伝送品質の推定値を送信するための出力インターフェースと
を備える。
【００２７】
本発明の態様は、必要なところでの光再生器の数および位置を決定するためにおよび／または予期しないリンク故障のケースではネットワーク内の代替パスを決定するためにおよび／またはネットワーク内での需要を満足させる最短のパスを決定するためにおよび／またはソフトウェア定義ネットワークフレーム内のアプリケーション駆動型再構成ネットワークのケースでは新たなパスを決定するために、伝送性能の、例えば、数秒以下のリアルタイム推定値を計算する考えに基づいている。
【００２８】
ある実施形態では、ルックアップテーブルは共分散行列を含む。
【００２９】
光信号は、任意の多重化方法、例えば、ＷＤＭ多重化および／または空間多重化および／または偏波多重化にしたがって多重化されることがある。
【００３０】
出力インターフェースは、多様な方式で実装されることがある。ある実施形態では、出力インターフェースは、例えば、コンピュータファイルまたは紙プリントアウトとして、ネットワーク設計での使用のために適したフォーマットで光伝送のための伝送品質の推定器をユーザに提供する。
【００３１】
第２の目的にしたがって、本発明は、光伝送システムデスクリプションを決定するための方法も提供し、方法は：
−  光伝送システムの分散マップを決定するステップと、
−  分散マップ上へと別個の累積分散のセットを置くステップと、
−  光伝送システムの複数の連続的なシステムセグメントＳｋを規定するステップであって、各システムセグメントは、入力累積分散が別個の累積分散のセットの累積分散に一致する光伝送システム内の点に対応する入力点を有する、規定するステップと、
−  各システムセグメントＳｋについて、システムセグメントの入力パワーＰｋ、およびシステムセグメントの局所分散値を決定するステップと、
−  各システムセグメントＳｋについて、システムセグメントＳｋのシーケンス番号を格納するステップと、システムセグメントＳｋの入力累積分散に関係して決定した入力パワーおよび局所分散値をデータリポジトリに格納するステップと
を含む。
【００３２】
これらの特徴のおかげで、光システムの伝送品質を得るために十分な情報をそれにもかかわらず含む光システムの簡潔な記述（デスクリプション）を得ることが可能である。
【００３３】
これらの特徴のおかげで、伝送品質の推定装置の大きな使用を提供する任意の種類の光システムに適用可能な表示フォーマットを得ることが可能である。例えば、光ネットワーク内の２つの連続するノード間の各接続に上記の方法を実行することは、これらの接続の各々に対して伝送推定装置を使用することを、したがって光ネットワーク内の任意の接続の伝送品質を予想することを可能にさせる。
【００３４】
これらの特徴のおかげで、非常に速くかつ効率的な方式で光伝送システムの品質を推定するための伝送品質の推定装置を使用することを可能にする。
【００３５】
これらの特徴のおかげで、伝送品質の推定器において光システムを使用するために任意の光システムのコンパクトな表現を得ることが可能である。
【００３６】
実施形態によれば、このような方法は、下記の特徴のうちの１つまたは複数を含むことができる。
【００３７】
ある実施形態では、セットの別個の累積分散は、固定累積分散増分によって区切られる。
【００３８】
ある実施形態では、方法は：
分散マップの上限および下限を決定するステップと、上限と下限との間の範囲の９５％よりも多くをカバーさせる別個の累積分散のセットを選択するステップと
をさらに含む。
【００３９】
ある実施形態では、別個の累積分散のセットは、−１０−４ｐｓ／ｎｍと１０４ｐｓ／ｎｍとの間の累積分散の範囲に含まれる。
【００４０】
本発明は、光システムについての伝送品質の推定値を決定するための請求項１の方法を用いて得られる光伝送デスクリプションの使用も提供し、
使用は：
複数の分散エントリσｎｎを含むルックアップテーブル（Σ１）を提供するステップであって、各分散エントリが、対応する局所分散値および対応する累積分散値（Ｄ１からＤ６）とともに格納され、累積分散値が、事前に規定した前置補償分散と０から０以上の上限までの範囲である整数で掛け算した事前に規定した分散増分（１４）との総和から構成される累積分散値のセット内で選択され、
ルックアップテーブル（Σ１）が複数の共分散エントリをさらに含み、各共分散エントリが局所分散値と累積分散値との第１の組および局所分散値と累積分散値との第２の組とともに格納される、提供するステップと、
−  光伝送システムの各システムセグメントＳｋについて、システムセグメントＳｋの局所分散および入力累積分散が分散エントリσｍａｔｃｈ（ｋ）ｍａｔｃｈ（ｋ）に関係する局所分散値および累積分散値に実質的に一致するように、ルックアップテーブル内の分散エントリσｍａｔｃｈ（ｋ）ｍａｔｃｈ（ｋ）を選択するステップと、
−  各組のシステムセグメントＳｋおよびＳｋ’について、システムセグメントＳｋの局所分散および入力累積分散が共分散エントリに関係する第１の組に実質的に一致するように、かつシステムセグメントＳｋ’の局所分散および入力累積分散が共分散エントリに関係する第２の組に実質的に一致するように、ルックアップテーブル内の共分散エントリσｍａｔｃｈ（ｋ）ｍａｔｃｈ（ｋ’）を選択するステップと、
伝送品質の推定値を：
【数２】
0006387461.tif 000003
として計算するステップであって、
ここで、Ｎが光伝送システムデスクリプション内のシステムセグメントの数である、
計算するステップと
を含む。
【００４１】
本発明は、変調されたデータを含む情報信号も提供し、変調されたデータは、光伝送システムの連続的なシステムセグメントＳｋを表し、
各システムセグメントは、入力累積分散が別個の累積分散のセットの累積分散と実質的に一致する光伝送システム内の点に対応する入力点を有し、
各システムセグメントＳｋは、入力パワーＰｋ値、局所分散値およびシーケンス番号を有する。
【００４２】
本発明の態様は、分散情報を基本的に利用するコンパクトなフォーマットで光システムを記述する考えに基づいている。
【００４３】
本発明の態様は、分散の情報が光システムの伝送品質の精密な推定を得るために十分であり得る観察に由来する。
【００４４】
本発明の態様は、ファイバタイプおよびセクション入力部のところで累積した分散の観点から基本ファイバセクションによりネットワークを特徴付ける考えに基づいている。
【００４５】
本発明の態様は、高速な方式でかつ非常に良い精度で接続の実行可能性を容易に評価するために、係数が事前に計算されている基本ファイバセクションを使用することによって全部のネットワーク内の接続をモデル化する考えに基づいている。
【００４６】
本発明の態様は、小さなファイバセクションの連鎖として網目化したネットワークの各ファイバを記述する考えに基づいており、ファイバタイプの同じ特性および同じ入力累積分散を有するすべての冗長なファイバセクションを取り除くことによって全部のネットワークを記述するためのデータの最小セットを見出す。
【００４７】
本発明のこれらの態様および他の態様は、例として、図面を参照して以降に説明する実施形態から明らかであり、そして実施形態に関連して明らかにされるであろう。
【図面の簡単な説明】
【００４８】
【図１】送信元ノードからの距離に応じての光リンクをわたって伝播する光信号の累積分散値の模式的グラフであり、光リンクがインライン分散補償のない光ファイバを備える。
【図２】図１の光リンクをわたって伝播する光信号の非線形雑音の分散を含むルックアップテーブルであり、分散が図１において推定した対応する累積分散値と関連し、ルックアップテーブルが光リンクの異なるセクションの累積分散値に関連した雑音の共分散をさらに含む。
【図３】図１の光リンクのセクションの非線形雑音の共分散行列の図であり、共分散行列が図２のルックアップテーブルと同一であり、共分散行列が図１の光リンクの連続するセクションに対応する累積分散値の分散および共分散を選択することによって図２のルックアップテーブルのおかげで構成される。
【図４】光リンクの両端に位置する送信元ノードと宛先ノードとの間の中間にある分散補償装置を有する光リンクについて、送信元ノードからの距離に応じての光リンクをわたって伝播する光信号の累積分散の模式的グラフである。
【図５】図４の光リンクのセクションに対応する累積分散値の分散および共分散の選択を示している図２のルックアップテーブルである。
【図６】図４の光リンクのセクションの非線形雑音の共分散行列の図であり、共分散行列が図４の光リンクの連続するセクションに対応する累積分散値の分散および共分散を選択することによって図２のルックアップテーブルのおかげで構成される。
【図７】光リンクに沿った光信号の伝送品質の高速推定の計算を実行する方法を示すフローチャートである。
【図８】光リンクに沿った光信号の伝送品質の推定を計算するために利用されることができる計算装置の機能図である。
【図９】送信機から受信機への光リンクの例の機能図である。
【図１０】ＳＳＦＭシミュレーションにより計算された分散と比較して、図７の方法により計算されたセクション長さにわたる分散の数値シミュレーション結果を示すグラフである。
【図１１】２つのタイプの光ファイバを有する６ノードネットワークの模式図である。
【図１２】図１１の６ノードネットワークの２つの光伝送パスの分散マップの離散化を示す図である。
【発明を実施するための形態】
【００４９】
例示的な例では、ＷＤＭ光ネットワークは、非補償光リンク上で、すなわち、光リンクに含まれる光ファイバスパン間にインライン分散補償を用いずに波長当たり１００Ｇｂ／ｓを搬送する。ネットワークは、複数の１００Ｇｂ／ｓ要求を搬送しなければならず、１００Ｇｂ／ｓペイロードが偏波分割多重四相位相変調キーイングＰＤＭ−ＱＰＳＫ波長で送られる。
【００５０】
このようなシステムに関して、障害の主な源は、自然放射増幅光（Ａｍｐｌｉｆｉｅｄ  Ｓｐｏｎｔａｎｅｏｕｓ  Ｅｍｉｓｓｉｏｎ）（ＡＳＥ）雑音およびカー効果に起因するひずみであることがよく知られている。両方の効果は、加法性白色ガウス雑音によりきわめて正確にモデル化されることが可能である。受信機のところでの全信号対雑音比は：
【数３】
0006387461.tif 000004
により定義され、非線形ひずみ対信号比は、
【数４】
0006387461.tif 000005
により定義され、ここで、Ｐは信号のパワーであり、ＰＡＳＥは基準帯域幅（例えば、光ＳＮＲ（ＯＳＮＲ）の従来からの定義に関して言えば０．１ｎｍ）において測定される自然放射増幅光（ＡＳＥ）雑音のパワーであり、ＰＮＬは非線形ひずみのパワーである。
【００５１】
ＰＡＳＥは、信号により進んだ距離、具体的には横切った光増幅器の数およびそれらの特性に依存する。
【００５２】
ＰＮＬは、やはり信号により進んだ距離、したがって光リンクの長さに、光リンクの性質、したがって局所分散値に、および検討中の信号の光パワーにも依存する。
【００５３】
光リンクの伝送品質を推定するために、光リンクに含まれるファイバのタイプが考慮される。ある光ネットワークでは、複数の異なる局所分散値を有する異なるファイバタイプが使用されることがある。例えば、シングルモードファイバ（ＳＭＦ）は、１７ｐｓ／ｎｍ／ｋｍの局所分散値を有する。対照的に、分散補償ファイバ（ＤＣＦ）は、負の局所分散値を有する。
【００５４】
光伝送のための伝送品質の推定器を作り出すための方法：
図７を参照して、光伝送のための伝送品質の推定器を作り出すための数値法がここで説明される。
【００５５】
方法は、任意の変調フォーマット、分散管理、ならびにファイバタイプおよびファイバ長の潜在的な不均一性に関して、網目化したネットワーク内のすべての可能な接続の非線形ひずみ分散をもたらす。得られた非線形ひずみ分散は、メモリに記憶され、伝送品質の推定器の主構成要素である。
【００５６】
方法は、下記のステップを実行することを含む：
プリアンブルとして、伝送システムの波長分散マップを決定するステップ、すなわち、光伝送における１つ１つの点のところでの累積波長分散を予測するステップ。分散マップは、Ｓｋと表されるセクションへと光伝送をサンプリングするために利用される。ネットワークのセクションＳｋについてＤｋと表される累積分散値は、ファイバに沿って伝播する間に光信号により以前に累積され、かつセクションＳｋの入力点のところで測定された前置分散であり、ここで、ｋは整数である。
【００５７】
ステップ２１では、方法は：ｍ個の異なるファイバタイプについてｌ＝１，２，．．．，ｍに対して、光ネットワーク内に存在する異なるファイバタイプＦ（ｌ）を決定するステップ、およびｌ＝１，２，．．．，ｍに対して、異なるファイバタイプＦ（ｌ）のそれぞれ１つについて、累積分散の固定増分ΔＤ（ｌ）を選択するステップを実行する。
【００５８】
ステップ２２では、ネットワーク内のすべての可能なポイント−ツー−ポイントリンクを考えるステップ、ならびにＦｋと表されるセクションのファイバタイプおよびセクションｋに沿った光信号の伝播の間に累積される対応する分散増分ΔＤｋを有するセクションＳｋへとポイント−ツー−ポイントリンクを区切るステップ、ここで、ＦｋおよびΔＤｋはステップ２１の可能な固定値Ｆ（ｌ）および対応するΔＤ（ｌ）の中から選択される。
【００５９】
ステップ２３では、方法は、ネットワークの各セクションＳｋに対応するすべての組（Ｄｋ，Ｆｋ）を集めること、および集めることから重複を取り除くことを実行する。このステップ２３は、合計でＭ個の別個の組（Ｄｋ，Ｆｋ）をもたらす。
【００６０】
キャリブレーションステップであるステップ２４では、方法は、各組（Ｄｋ，Ｆｋ）について、セクションＳｋにわたってＳＳＦＭ非線形伝播シミュレーションをランさせるステップを実行する。一連のＭ個のシミュレーションは、キャリブレーションフェーズステップ２４と呼ばれる。Ｍ個のシミュレーションが完全に独立しているので、Ｍ個のシミュレーションは、並列にすべてをランさせることが可能であり、このようにネットワークのキャリブレーションステップ２４をスピードアップする。
【００６１】
ＱＰＳＫ変調でセクション内を伝播する光信号の例示的なケースでは、下記のステップ２５は、キャリブレーションフェーズステップ２４のＭ個のシミュレーションから得られる出力信号の各々について実行される。ステップ２５は：初期位相変調を取り除くこと、非線形位相シフトの補償、およびもしある場合には、送信機側のところでのフィルタリングに由来する入力信号を取り除くことを含む。実際に図９に示したように、フィルタ９４は、送信機９５とファイバ９１との間に任意選択で設置される。Ｍ個のシミュレーションから得られる出力信号から入力信号を取り除くことは、セクション内を伝播する光信号のＭ個の非線形ひずみ場を抽出することを可能にする。取り除くことは、各シンボル時間の中間のところでサンプリングされた入力信号および出力信号の両者に実行される。
【００６２】
ステップ２６では、方法は：
−  下記ではΣと表されるＭ×Ｍの表を構成するステップをさらに含む。表Σは、各々の別個の組Ｄｋ，Ｆｋについて、ｉおよびｊがｋにより取られる値を表すと、セクションｉおよびｊ内を伝播する光信号の非線形ひずみ場の分散σｉｉおよび共分散σｉｊの計算を含む。
【００６３】
ステップ２７では、方法は、その後の使用のために外部メモリ内のルックアップテーブルにΣを格納することを実行する。
【００６４】
各ファイバタイプについての分散増分ΔＤ（ｌ）は、次のように計算される：ΔＤ（ｌ）＝∫ＤＦ（ｌ）（ｚ）ｄｚ、ここでは、ＤＦ（ｌ）はファイバタイプＦ（ｌ）についての局所分散を表し、積分は長さｄｚのセクションにわたって実行される。
【００６５】
分散増分の選択は、考えているセクションのセクション長上での発生率を含んでいる。実際に、固定局所分散値ＤＦｋを有するファイバセクションｋについて、長さが長いほど、累積分散値Ｄｋが大きくなる。したがって、各ファイバタイプについての分散増分ΔＤ（ｌ）の選択は、利用可能なシステムメモリ、所望の精度、および推定しようとするネットワーク内に存在するスパン長の種類に依存する。短いセクションは、より高い精度をもたらすが、大量のメモリおよび長い計算時間の両方を必要とする。
【００６６】
例示の目的で、上記の方法では、ＳＳＦＭ非線形伝播シミュレーションが、１とゼロの疑似ランダム分布を有するビットシーケンスに実行される。図９を参照して、光リンクの例が説明される。光リンクはファイバ９１である。ＳＳＦＭシミュレーションが、ファイバ９１について実行される。図９に示したように、分散は、光信号が受信機９３に到達する前に完全な後置補償ファイバ９２によりゼロに戻される。
【００６７】
例示の目的で、図１から図３を参照して、このような方法が、ルックアップテーブルを作るために単一の光リンクａｂから構成される光ネットワークについて実行される。ルックアップテーブルは、図４から図６を参照して後で説明されるように光リンクｃｄの伝送品質を推定するために有用である。図１は、光リンクａｂのセクション１から６に応じての、光リンクａｂをわたって伝播する光信号の累積分散値Ｄ１、Ｄ２、Ｄ３、Ｄ４、Ｄ５およびＤ６の模式的グラフである。例えば、Ｄ１は、光リンクａｂの入力部のところでの前置補償の値に等しい負の分散値である。光リンクａｂは、同じファイバタイプにより特徴付けられる２つのスパン１２３および４５６を含む、すなわち、２つのスパンに沿った局所分散値は同じである。ｋ＝１から６で、各セクションｋについての局所分散値Ｆｋは同じである。スパン１２３および４５６は、３つのセクション１、２、３および４、５、６へとそれぞれ分割される。スパン１２３および４５６をセクション化することが、次のように実行される：光リンクａｂの各セクション１、２、３、４、５および６について、軸１１上に表された累積分散値は、分散の同じ増分１４だけ増加する。光リンクａｂのセクションは、インライン分散補償を組み込んでいない。したがって、Ｄｋと表された各セクションＳｋの累積分散は、ΣｉＤｉに等しい。別個の組（Ｄｋ，Ｆｋ）を有する各セクションＳｋについて、方法は、光リンクａｂのセクションＳｋを特徴付ける累積分散および局所分散Ｄｋ、Ｆｋを含む組に応じて、ＳＳＦＭシミュレーションをランさせることを実行する。Ｐ０は、ＳＳＦＭシミュレーションにおいて利用される各セクションＳｋの入力部のところでの固定パワー値を表す。
【００６８】
ＳＳＦＭシミュレーションにより計算されたセクションＳｋの出力部のところでの光信号の非線形ひずみ場をｕＮＬ，ｋと表して、図２に表示された行列Σ１の各係数σｉｊが、次いで下記のように計算される：σｉｊ＝ｃｏｖ（ｕＮＬ，ｉ，ｕＮＬ，ｊ）／Ｐ０２
ここで、
【数５】
0006387461.tif 000006
は平均μＸおよびμＹを有するランダム変数ＸおよびＹの共分散であり、そしてＥ［・］は期待値である。行列Σ１は、次いで、その後の使用のためにデータリポジトリに格納される。
【００６９】
実際に、行列Σ１を用いると、光リンクａｂの伝送性能は、ｋ＝１，．．．６を有する光リンクａｂのセクションＳｋを特徴付ける組Ｄｋ，Ｆｋに対応するΣ１の分散および共分散σｉｊを選択することによって、データリポジトリを含む伝送品質の推定装置により計算されることができる。
【００７０】
図１を参照して説明した光システムは、必ずしも現実に存在する必要はない。図１は、多数の光システムを推定することを可能にする伝送品質の係数の計算の方法を図説するために一意的に説明される。同様に、多数の光ファイバタイプについて係数を計算することができる推定器を製造するために、係数は、多数の局所分散値について計算されることができる。特殊なケースでは、１つのファイバタイプｌ’の係数は、ファイバタイプＦ（ｌ’）をＦ（ｌ）により、累積分散Ｄ（ｌ’）を累積分散
【数６】
0006387461.tif 000007
により、そして最終的に係数σｉｊを係数
【数７】
0006387461.tif 000008
により置き換えることによって、ファイバタイプｌのすでに計算された係数によって推論されることができる。
【００７１】
ある実施形態では、各ファイバタイプについての分散増分ΔＤ（ｌ）は、同じになるように規定され、ΔＤと表される。したがって、異なるファイバタイプのセクションの長さは変わり、ｄｚ（ｌ）と表される。
【００７２】
説明した上記の方法のおかげで構成された共分散行列がエルミート対称性を有するので、Ｍ＊（Ｍ＋１）／２の項だけが計算されるはずである。これが方法のメモリ使用量を決定する。例えば、４００セクションを考え、分散項および共分散項が倍フロート精度、すなわち８バイトで記憶されると仮定すると、メモリは、８＊４００＊（４００＋１）／２＝６４１．６キロバイトを要する。
【００７３】
方法の複雑さは、Ｎ×（Ｎ＋１）／２の加算によって上限を定められ、ここで、Ｎ×ＮはＮ＜Ｍである関心のあるポイント−ツー−ポイント光リンクに対応する部分行列Ｄのサイズである。
【００７４】
上に説明した方法は、同時にネットワーク内のすべてのリンクの伝送性能の高速な計算を可能にする。実際に、ステップ２４で説明したように、シミュレーションの数は、ネットワーク内に現れるセクションＳｋのファイバタイプＦｋと累積分散Ｄｋとの別個の組の数に依存する。
【００７５】
方法の利点は、任意の可能な光リンクの性能を計算するために使用されることができるファイバタイプのすべての可能な組合せにより生成される非線形雑音の分散および共分散を含むルックアップテーブルならびに所与の変調フォーマットのための入力累積分散を構成することが可能になることである。既存の方法と比較して全体の計算時間およびコストゲインが、ネットワーク内のセクションの全数をステップ２４で得られた別個の組の数で割り算することにより得られることができる。
【００７６】
ある実施形態では、方法のＳＳＦＭシミュレーションは、帯域幅の各光チャネルが占有されるという仮定でＷＤＭ光信号について実行される。この仮定は、伝送劣化を過大に推定することに導く。
【００７７】
上に説明した方法は、数値的な方法である。しかしながら、上記の方法は、同じステップにしたがって実験に基づく方法としても実装されることがある。
【００７８】
上記では、伝送品質の推定器を作り出すための方法を説明した。ここでは、伝送品質の推定器の開発が説明される。
【００７９】
任意の光システム、例えば、図４の光システムの伝送品質を推定する伝送品質の推定器を開発するために、第１のステップが必要である。第１のステップは、推定しようとする光システムの適切なデスクリプションを与えることで構成される。
【００８０】
光伝送システムデスクリプションを決定するための方法：
推定される光システムの適切なデスクリプションを与えることが、図１１を参照して図説される下記の方法により実現される。光伝送システムは、光ネットワーク内のポイント−ツー−ポイント光伝送である。例えば、光伝送システムは、ネットワークの２つのノード間の接続として規定される。光ネットワークの任意のノード間の任意の可能な接続が、下記の方法のおかげで説明され得る。
【００８１】
光伝送システムデスクリプションを決定するための方法はいくつかのステップを含む。
【００８２】
第１のステップでは、方法は、光伝送システムの分散マップを決定するステップを実行する。分散マップは、光通信パスに沿った伝送距離に応じて累積分散をプロットする。もしあるならば、光ファイバの入力端および／または出力端のところの分散補償装置は、光伝送システムに沿った累積分散の急峻な変化を作り出すことができる。分散マップを構成するために、累積分散値Ｄが下記のように計算されることがある：Ｄ（ｚ）＝∫ＤＦ（ｚ）ｄｚ、ここで、ＤＦは局所分散値を表し、ｚは光信号が伝播した距離を表す。適切なコンピュータプログラムが、任意の光伝送システムの分散マップを確立するためにまたはこれらの値を少なくとも実質的に一致させるために利用されることがある。このステップは、局所分散がシステムのすべてのリンクにおいて知られていることを一般に仮定する。
【００８３】
第２のステップでは、方法は、分散マップ上へと別個の累積分散のセットを置くステップを実行する。別個の累積分散のセットは、伝送品質の推定器を作り出すための方法で利用される累積分散値に含まれるはずである。好ましくは、セットの２つの連続する別個の累積分散が、伝送品質の推定器を作り出すための方法において各ファイバタイプについて規定した分散増分ΔＤ（ｌ）のセットの最小の分散増分として規定される分散増分ΔＤによってまたはその増分ΔＤの整数倍によって区切られる。
【００８４】
例示として、図４の光システムを参照して、累積分散値のセットは、Ｄ１、Ｄ２、Ｄ３、Ｄ４、Ｄ５およびＤ６によって表される。
【００８５】
第３のステップでは、方法は、光伝送システムの複数の連続的なシステムセグメントＳｋを規定するステップを実行し、ここでは、各システムセグメントは、入力累積分散がセットの入力累積分散に一致する光伝送システムの点に対応する入力点を有する。
【００８６】
第４のステップでは、方法は、各システムセグメントＳｋについて、システムセグメントの入力パワーＰｋを、そして必要な場合にはシステムセグメントの局所分散値を決定するステップを実行する。
【００８７】
最後のステップでは、方法は、各システムセグメントＳｋについて、システムセグメントＳｋの入力累積分散と関係して決定した入力パワーおよび局所分散値をデータリポジトリに格納するステップを含む。
【００８８】
システムセグメントＳｋのシーケンス番号もやはり格納される。シーケンス番号は、ポイント−ツー−ポイント光システム内のシステムセグメントの順番を規定する。シーケンス番号は、整数により表されることがある。網目化したネットワークを説明するために、システムは、ポイント−ツー−ポイントリンクの組合せとして表されることがある。
【００８９】
例示の目的で、単純化したネットワークが、図１１を参照して説明される。図１１は、ＡからＤによって表された６個のノードを含む光ネットワーク１００の模式図である。ノードＡとＢ、ＢとＥ、ＢとＤ、ＤとＦ、ＡとＣ、ＣとＥおよびＥとＦをリンクする光ファイバは、同じ局所分散値を有し、この局所分散値はノードＥとＤをリンクする光ファイバの局所分散値の半分に等しい。インライン分散補償は、ネットワーク１００の光ファイバに沿っては実行されず、分散補償装置は光ノードには設けられていない。確立された光接続は透過的である。
【００９０】
光伝送システムデスクリプションを決定するための方法は、このように光ネットワーク１００の各リンクの全体に第３のステップを実行する。
【００９１】
ネットワークの各光ファイバは、各システムセグメントＳｋが別個の累積分散のセットの入力累積値を有するように、システムセグメントＳｋへとセグメント化される。
【００９２】
ノードＥとＤをリンクする光ファイバの局所分散値は、ネットワーク１００の他の光ファイバの局所分散値の２倍である。結果として、ノードＥとＤとの間のシステムセグメントの基本長は、ネットワーク１００の他の光ファイバのシステムセグメントの基本長の値Ｌの半分である値Ｌ／２に等しい。言い換えると、この特定の例では、光システムの離散化は、累積された分散に関して一様な網目サイズを利用し、結果として距離に関して一様でない網目サイズになる。
【００９３】
ノードＡとＤとの間の光接続は、増分ΔＤの１０倍の全長を有する最短のパスＡ−Ｂ−Ｄにしたがうであろう。ノードＣとＦとの間の光接続は、長さＬの６倍の全長を有する最短のパスＣ−Ｅ−Ｆにしたがうであろう。
【００９４】
例えば、光路Ａ−Ｂ−ＤおよびＣ−Ｅ−Ｆは、分散管理がなく、１つのシングルファイバタイプ、すなわち、１つの局所分散値のものである。したがって、光路Ａ−Ｂ−ＤおよびＣ−Ｅ−Ｆのセクション化は、同じ局所分散および累積された分散の類似のシステムセグメントＳ１からＳ６という結果になる。したがって、システムセグメントの累積分散値および局所分散値に対応する行列に格納された係数は、システムセグメントＳ１からＳ６に沿った伝送品質の推定のために２回使用可能である。
【００９５】
図１２を参照して、光路Ａ−Ｂ−ＤおよびＥ−Ｄの分散マップが示されている。分散マップ上へと置かれた別個の累積分散のセットが、縦軸上に示されており、Ｄ１、Ｄ２、Ｄ３、Ｄ４、Ｄ５、Ｄ６、Ｄ７、Ｄ８、Ｄ９およびＤ１０により表されている。距離は、横軸上に表されている。
【００９６】
四角形は、光路Ｅ−Ｄについてのシステムセグメントの入力を表す。ドットは、光路Ａ−Ｂ−ＤについてのシステムセグメントＳ１からＳ１０の入力を表す。光路Ａ−Ｂ−Ｄの最後のシステムセグメントの入力部のところの入力累積分散は、値Ｄ１０を有する。光路Ａ−Ｄの局所分散値は光路Ａ−Ｂ−Ｄの局所分散値の２倍であり、線１０１の勾配は、線１０２の勾配の２倍である。
【００９７】
したがって、光路Ｅ−Ｄについてシステムセグメントの累積分散値および局所分散値に対応する行列に格納された係数は、光路Ａ−Ｂ−Ｄについての係数とは同じではない。
【００９８】
現実的で均質なネットワークに関して、各ファイバの長さは、必ずしも分散増分の倍数ではない。したがって、現実的なネットワークに関して、各光ファイバの長さは、分散増分ΔＤの最も近い倍数に近似される。このファイバ長近似に起因する方法の不正確さは、特に分散増分の小さな値に対しては無視できる。
【００９９】
伝送品質の推定器の開発：
上に説明した光伝送システムデスクリプションを決定するための方法のおかげで、任意の光伝送が、伝送品質の推定器を作り出すための方法のおかげで得られた伝送品質の推定器の開発のための従来型のフォーマットに記述されることがある。
【０１００】
図８を参照して、光伝送のためのこのような伝送品質の推定装置が、ここで説明される。装置は、データリポジトリ１１３および線１１６によって示されたようにデータリポジトリ１１３にリンクされている計算ユニット１１４を備える。装置は、矢印１１７によって示されたように計算ユニット１１４にリンクされている出力インターフェース１１５をさらに含む。実施形態では、出力インターフェースが、データリポジトリ、ネットワークインターフェース、プリンタ、等に接続されてもよい。上に説明した方法のおかげで構成されたルックアップテーブルΣは、データリポジトリ１１３に格納される。装置は、光伝送システムデスクリプションを受信することができ、矢印１１９によって示されたように計算ユニット１１４へ光伝送システムデスクリプションを送信することができる入力インターフェース１１８も備える。
【０１０１】
光伝送システムデスクリプションは、下記のように光伝送デスクリプションを決定するための上に説明した方法のおかげで構成される：
システムデスクリプションは、光伝送システムの複数のセクションＳｋを規定し、そして各セクションＳｋについて、システムセグメントの入力パワーＰｋ、システムセグメントＦｋの局所分散値、およびシステムセクションＳｋの入力累積分散Ｄｋを規定する。
【０１０２】
計算ユニット１１４は、入力インターフェース１１８から受信したシステムデスクリプションの各システムセグメントＳｋについて、システムセグメントｋの局所分散値ＤＦｋおよび入力累積分散値Ｄｋが分散エントリσｍａｔｃｈ（ｋ）ｍａｔｃｈ（ｋ）に関係する局所分散値ＤＦｍａｔｃｈ（ｋ）および入力累積分散値Ｄｍａｔｃｈ（ｋ）に実質的に一致するように、データリポジトリ１１３に格納されたルックアップテーブル内の分散エントリσｍａｔｃｈ（ｋ）ｍａｔｃｈ（ｋ）の選択を実行するように構成される。
【０１０３】
例えば、入力累積値Ｄｋは、
【数８】
0006387461.tif 000009
である場合には、Ｄｍａｔｃｈ（ｋ）に実質的に一致し、ここでは、ε＝５％である。
【０１０４】
計算ユニット１１４は、このシステムセグメントＳｋおよびＳｋ’の各組について、システムセグメントＳｋ’の局所分散値ＤＦｋおよび入力累積分散値Ｄｋがルックアップテーブルの共分散エントリσｍａｔｃｈ（ｋ）ｍａｔｃｈ（ｋ’）に関係する第１の組ＳｋおよびＳｋ’に実質的に一致するように、そしてシステムセグメントＳｋ’の局所分散および入力累積分散が共分散エントリに関係する第２の組に実質的に一致するように、ルックアップテーブル内の共分散エントリσｍａｔｃｈ（ｋ）ｍａｔｃｈ（ｋ’）の選択を実行するようにやはり構成される。
【０１０５】
計算ユニット１１４は、伝送品質の推定値である
【数９】
0006387461.tif 000010
の計算を実行するようにも構成され、下記の通りである：
【数１０】
0006387461.tif 000011
装置は、出力インターフェース１１５を介して計算した伝送品質の推定値ＳＮＲ−１ＮＬを送信するためにさらに構成される。
【０１０６】
ルックアップテーブルΣ１が図２に表示されている光リンクａｂの例に戻ると、計算ユニット１１４により実行されるマッチングは、２つのスパン１２３および４５６を含む光リンクのセクションＳｋの特徴付ける組ＦｋおよびＤｋに対応するすべての選択された分散および共分散を含む図３に表された共分散行列Σ１を導く。
【０１０７】
Ｆｋが２つのスパン１２３および４５６に対して同じであり、インライン分散が光リンクａｂ上に含まれないので、図３に表示された共分散行列Σ１は、第１のスパン１２３の分散を含む太線枠内に表示された左上の３×３部分行列σ１２３、第２のスパン４５６の分散を含む破線枠内に表示された右下の３×３部分行列σ４５６、ならびにスパン１２３とスパン４５６との間の共分散項を含む点線枠内および一点鎖線枠内にそれぞれ表示された他の２つの３×３部分行列σｃおよびσｃ’を選択することによって図２に表示されたルックアップテーブルΣ１のおかげで構成される。この特定のケースでは、Σ１の使用した部分行列の間に重なりがなく、一方で、すべてのΣ１の要素が使用される。実際に、この特定の例では、１から６までの各ｋについてｍａｔｃｈ（ｋ）＝ｋである。
【０１０８】
ある実施形態では、ルックアップテーブルは、ブロックにより構成されてきている共分散行列である。実際に、２つの共分散行列ＸおよびＹについて、ＸおよびＹのジョイント（ｊｏｉｎｔ）共分散行列ΣＸ，Ｙは、下記のブロック形式で書かれることがある：
【数１１】
0006387461.tif 000012
ここで、ΣＸＸ＝ｖａｒ（Ｘ）、ΣＹＹ＝ｖａｒ（Ｙ）およびΣＸＹ＝ΣＹＸＴ＝ｃｏｖ（Ｘ，Ｙ）である。
【０１０９】
例えば、上に説明した方法を使用することによって、第１の共分散行列が、第１のファイバスパン１２３に対して構成されており、第２の共分散行列が第２のファイバスパン４５６に対して構成されている。ルックアップテーブルは、第１の共分散行列σ１２３および第２の共分散行列σ４５６から計算される共分散行列Σ１を含む。
【０１１０】
同様に、例えば、上に説明した方法を使用することによって、第１の共分散行列が第１の局所分散値に対して構成されてもよく、第２の共分散行列が第２の分散値に対して構成されてもよい。そのケースでは、ルックアップテーブルは、第１および第２の共分散行列から計算される共分散行列を含む。したがって、２つのタイプのファイバを用いると、ルックアップテーブルは、より多くの行および列を有する拡張した行列を含む。
【０１１１】
図４から図６に表示された第２の例示的な例では、同じ共分散行列構成が、光リンクａｂとは異なる光リンクｃｄについて事前に計算したルックアップテーブルΣ１から実行される。図１から図３のものと類似する要素が、同じ番号によって表示される。光リンクｃｄは、位置１３上に表示されたように、第１のスパン１２３の終わりのところに部分分散補償を有する。この例では、マッチングが、上の表によって示されたように、図８に表示された装置によって実行される。
【表１】
0006387461.tif 000013
【０１１２】
したがって、行列Σ１の小部分が、図６に表示された行列Σ２を構成するために使用される。図５に示したように、分散マッチング項および共分散マッチング項に対応する部分行列は、重なる。
【０１１３】
ＳＮＲ−１ＮＬが、次いで、下記のように計算される：
【数１２】
0006387461.tif 000014
ここでは、ＰｋはセクションＳｋの入力パワーを表す。
【０１１４】
ある実施形態では、パワーＰｋが、下記のように計算される：
【数１３】
0006387461.tif 000015
ここでは、Ｐ１は光リンクＡＢの入力パワーを表し、αは吸収を表し、そしてｚｋはセクションＳｋの入力の横座標である。
【０１１５】
装置は、したがって、光リンクａｂに対して上に説明したように構成されたルックアップテーブルのおかげで未だ推定されていない光システムに対して、例えば、ｃｄに対して伝送品質の推定値ＳＮＲＮＬ−１を与えることができる。
【０１１６】
比較の目的で、１００ｋｍにわたる９チャネル偏波分割多重四相位相変調キーイングＰＤＭ−ＱＰＳＫ信号のＳＳＦＭによる数値シミュレーションは、２．６７ＧＨｚのＣＰＵおよび１６Ｇｂのメモリを有するサーバ上でランさせると約１５分を必要とする。このシミュレーション期間は、ＳＳＦＭシミュレーションをリアルタイム用途にとって不適切にさせる。対照的に、上に説明した装置は、同じ計算をはるかに短い時間、例えば数秒未満で実行することを可能にする。
【０１１７】
上記の装置は、光ネットワーク内の光リンクの伝送の性能を推定するために高速かつ正確である。好ましい実施形態では、セクション長は、１００ｍと２０ｋｍとの間に含まれる。
【０１１８】
したがって、上記の装置は、セクション長に等しい、すなわち１００ｍと２０ｋｍとの間の最小長Ｌｓを有する光リンクの性能を推定することができる。図１０は、ＳＳＦＭシミュレーションを用いて計算した分散と比較して、図７の方法のおかげで計算したセクション長全体にわたる分散の数値シミュレーション結果を示すグラフである。縦軸１２９は、−５０から−３５ｄＢまでの範囲についてｄＢでの分散を表し、横軸１２８は、０から２０ｋｍまでの範囲についてｋｍでのセクション長を表す。丸いマーカ１３１は、２０ｋｍの最大長のシングルモードファイバＳＭＦスパンについての非線形ひずみ分散発展の例を表し、三角形のマーカ１３０は、上に説明した方法のおかげで構成された共分散行列を考慮した非線形分散推定値の発展を表す。スパンの累積した分散は、３００００ｐｓ／ｎｍに固定され、入力パワーは、Ｐｉｎ＝０ｄＢｍである。三角形マーカが丸いマーカに一致するので、優れた精度が観察される。
【０１１９】
上記の実施形態では、単純化の目的で光信号の非線形障害の主な源として、カー効果が提示されている。光カー効果は、下記に列挙する多くの理由：光双安定性、自己集束効果、自己位相変調、ソリトン形成、等のために光信号に結果として障害をもたらすことがある。
【０１２０】
下記の列挙からの多くの他の可能性のある非線形効果：二次非線形性、二次高調波発生、周波数混合、光パラメトリック増幅および発振、自発的パラメトリックダウンコンバージョン、ＳＰＤＣに基づくもつれ光子のソース、四波混合のような三次非線形効果、ラマン散乱、自発的誘導ラマン散乱、ラマン増幅、ブリルアン散乱、２光子吸収、等が考慮されることがある。
【０１２１】
本明細書において上に説明した計算装置は、専用ハードウェアならびに適切なソフトウェアに関連するソフトウェアを実行することができるハードウェアの使用を介して実装されることがある。プロセッサにより実現されるときには、対応する機能は、単一の専用プロセッサにより、単一の共有プロセッサにより、またはいくつかが共有されることがある複数の個別のプロセッサにより実現されてもよい。その上、「プロセッサ」または「コントローラ」という用語の明示的な使用は、ソフトウェアを実行することができるハードウェアのみを呼ぶように解釈されるべきではなく、限定ではなく、中央処理装置（ＣＰＵ）、ディジタル信号プロセッサ（ＤＳＰ）ハードウェア、ネットワークプロセッサ、特定用途向け集積回路（ＡＳＩＣ）、フィールドプログラマブルゲートアレイ（ＦＰＧＡ）、ソフトウェアを記憶するための読出し専用メモリ（ＲＯＭ）、ランダムアクセスメモリ（ＲＡＭ）、および不揮発性記憶装置を非明示的に含むことができる。従来型および／またはカスタムの他のハードウェアが、やはり含まれてもよい。
【０１２２】
上に説明した計算装置は、一体的な方式でまたは分散型の方式で実装されてもよい。
【０１２３】
本発明は、説明した実施形態に限定されない。別記の特許請求の範囲は、当業者なら思い付くことができ、記述され、ここでの基本的な教示内にかなりの程度ではいるすべての修正構成および代替構成を具体化するように解釈されるべきである。
【０１２４】
「備える（ｔｏ  ｃｏｍｐｒｉｓｅ）」または「含む（ｔｏ  ｉｎｃｌｕｄｅ）」という動詞およびその活用形の使用は、請求項に述べたもの以外の要素またはステップの存在を排除しない。さらにその上、要素またはステップに先行する「１つ（ａ）」または「１つ（ａｎ）」という冠詞の使用は、複数のこのような要素またはステップの存在を排除しない。
【０１２５】
特許請求の範囲では、かっこの間に置かれた任意の参照符号は、特許請求の範囲の範囲を限定するように解釈されるべきではない。
【図１】
0006387461.tif 000017
【図２】
0006387461.tif 000018
【図３】
0006387461.tif 000019
【図４】
0006387461.tif 000020
【図５】
0006387461.tif 000021
【図６】
0006387461.tif 000022
【図７】
0006387461.tif 000023
【図８】
0006387461.tif 000024
【図９】
0006387461.tif 000025
【図１０】
0006387461.tif 000026
【図１１】
0006387461.tif 000027
【図１２】
0006387461.tif 000028